(57)【要約】組合わせ電話セット（コードレス・フォンなど）およびセキュリティ・システム制御装置であって、制御装置をセキュリティ・システム・バスとインタフェースする第１インタフェース手段と、制御装置をＰＳＴＮなどの電話網とインタフェースする第２インタフェース手段と、ユーザ制御情報を制御装置に提供するための入力装置であって、ユーザが電話モードとセキュリティ・システム・モードとの間で制御装置を切り替えるための手段を含む入力手段、および制御装置の動作に関する状況データをユーザに提供する出力手段を有し、かつセキュリティ装置が電話モードにあるとき、ユーザが電話網で通信することを可能にするように適合されたユーザ・インタフェース手段とを有する。処理手段が、制御装置の動作を制御し、電話モードとセキュリティ・システム・モードとの間で切り替わるように適合される。
2006512031.tif 000002
【特許請求の範囲】
【請求項１】
組合わせ電話セットおよびセキュリティ・システム制御装置であって、
ａ．制御装置をセキュリティ・システム・バスとインタフェースする第１インタフェース手段と、
ｂ．制御装置を電話網とインタフェースする第２インタフェース手段と、
ｃ．ユーザ・インタフェース手段であって、
ｉ．ユーザ制御情報を制御装置に提供するための入力手段であって、ユーザが電話モードとセキュリティ・システム・モードとの間で制御装置を切り替えるための手段を備える入力手段と、
ｉｉ．制御装置の動作に関する状況データをユーザに提供するための出力手段と、
ｉｉｉ．セキュリティ装置が前記電話モードにあるとき、ユーザが前記電話網で通信することを可能にするようにも適合された前記ユーザ・インタフェース手段とを備える、ユーザ・インタフェース手段と、
ｄ．制御装置の動作を制御する処理手段であって、
ｉ．前記入力手段からユーザ・コマンドを受信する際に、電話モードとセキュリティ・システム・モードとの間で切り替わり、
ｉｉ．前記セキュリティ装置が前記電話モードにあるとき、前記ユーザ・インタフェース手段と前記第２インタフェース手段との間において電話情報を送信および受信し、
ｉｉｉ．前記セキュリティ装置が前記セキュリティ・システム・モードにあるとき、前記ユーザ・インタフェース手段と前記第１インタフェース手段との間においてセキュリティ・システム情報を送信および受信するように適合される処理手段とを備える、制御装置。
【請求項２】
前記第１インタフェース手段、前記第２インタフェース手段、前記ユーザ・インタフェース手段、および前記処理手段が、単一ハウジング内に統合される、請求項１に記載の制御装置。
【請求項３】
ベース局およびハンドセットをさらに備え、前記セキュリティ装置が前記電話モードにあるとき、ユーザが前記電話網で通信することを可能にするために、前記ユーザ・インタフェース手段が、スピーカおよびマイクロフォンを前記ハンドセット内に備える、請求項１に記載の制御装置。
【請求項４】
前記ハンドセットが、前記ベース局に架線される、請求項３に記載の制御装置。
【請求項５】
前記ハンドセットが、無線通信によって前記ベース局とインターオペレートし、
前記ハンドセットが、
前記ユーザ・インタフェース手段と、
前記ベース局と通信するための第１無線トランシーバ手段とをさらに備え、
前記ベース局が、
前記処理手段と、
前記第１インタフェース手段と、
前記第２インタフェース手段と、
前記ハンドセットと通信するための第２無線トランシーバ手段とを備える、請求項３に記載の制御装置。
【請求項６】
ユーザが電話モードとセキュリティ・システム・モードとの間で制御装置を切り替えるための前記手段が、専用ボタンを前記ハンドセットの上に備える、請求項５に記載の制御装置。
【請求項７】
前記入力手段が、数値キーパッドを備え、ユーザが電話モードとセキュリティ・システム・モードとの間で制御装置を切り替えるための前記手段が、前記数値キーパッド上のキープレスの所定のシリーズを検出する手段を備える、請求項５に記載の制御装置。
【請求項８】
前記出力手段が、制御装置の動作に関する状況データの視覚表示をユーザに提供するために表示装置を備える、請求項５に記載の制御装置。
【請求項９】
前記表示装置に示される前記状況データが、前記セキュリティ装置が前記セキュリティ・システム・モードにあるときの前記セキュリティ・システムの状況を示す、請求項８に記載の制御装置。
【請求項１０】
前記出力手段が、制御装置の動作に関する音声フィードバックを前記ユーザに提供するために音響装置を備える、請求項５に記載の制御装置。
【請求項１１】
Ａ．セキュリティ・システムの動作を制御するための制御パネルと、
Ｂ．前記制御パネルに相互接続された複数の警報センサと、
Ｃ．前記制御パネルを前記複数の警報センサと相互接続するセキュリティ・システム・バスと、
Ｄ．組合わせ電話セットおよびセキュリティ・システム制御装置であって、
ａ．制御装置を前記セキュリティ・システム・バスとインタフェースする第１インタフェース手段と、
ｂ．制御装置を電話網とインタフェースする第２インタフェース手段と、
ｃ．ユーザ・インタフェース手段であって、
ｉ．ユーザ制御情報を前記制御装置に提供するための入力手段であって、ユーザが電話モードとセキュリティ・システム・モードとの間で前記制御装置を切り替える手段を備える入力手段と、
ｉｉ．制御装置の動作に関する状況データをユーザに提供するための出力手段と、
ｉｉｉ．セキュリティ装置が前記電話モードにあるとき、ユーザが前記電話網により通信することを可能にするようにも適合された前記ユーザ・インタフェース手段とを備える、ユーザ・インタフェース手段と、
ｄ．制御装置の動作を制御するための処理手段であって、
ｉ．前記入力手段からユーザ・コマンドを受信する際に、電話モードとセキュリティ・システム・モードとの間で切り替わり、
ｉｉ．前記セキュリティ装置が前記電話モードにあるとき、前記ユーザ・インタフェース手段と前記第２インタフェース手段との間において電話情報を送信および受信し、
ｉｉｉ．前記セキュリティ装置が前記セキュリティ・システム・モードにあるとき、前記ユーザ・インタフェース手段と前記第１インタフェース手段との間においてセキュリティ・システム情報を送信および受信するように適合される処理手段とを備える、セキュリティ・システム。
【請求項１２】
前記第１インタフェース手段、前記第２インタフェース手段、前記ユーザ・インタフェース手段、および前記処理手段が、単一ハウジング内に統合される、請求項１１に記載のセキュリティ・システム。
【請求項１３】
ベース局およびハンドセットをさらに備え、前記ユーザ・インタフェース手段が、前記セキュリティ装置が前記電話モードにあるとき、ユーザが前記電話網で通信することを可能にするために、スピーカおよびマイクロフォンを前記ハンドセット内に備える、請求項１１に記載のセキュリティ・システム。
【請求項１４】
前記ハンドセットが、ベース局に架線される、請求項１３に記載のセキュリティ・システム。
【請求項１５】
前記ハンドセットが、無線通信によって前記ベース局とインターオペレートし、
前記ハンドセットが、
前記ユーザ・インタフェース手段と、
前記ベース局と通信するための第１無線トランシーバ手段とをさらに備え、
前記ベース局が、
前記処理手段と、
前記第１インタフェース手段と、
前記第２インタフェース手段と、
前記ハンドセットと通信するための第２無線トランシーバ手段とを備える、請求項１３に記載のセキュリティ・システム。
【請求項１６】
ユーザが電話モードとセキュリティ・システム・モードとの間で前記制御装置を切り替える前記手段が、専用ボタンを前記ハンドセットの上に備える、請求項１５に記載のセキュリティ・システム。
【請求項１７】
前記入力手段が、数値キーパッドを備え、ユーザが電話モードとセキュリティ・システム・モードとの間で前記制御装置を切り替えるための前記手段が、前記数値キーパッド上のキープレスの所定のシリーズを検出する手段を備える、請求項１５に記載のセキュリティ・システム。
【請求項１８】
前記出力手段が、前記制御装置に関する状況データの視覚表示をユーザに提供するために表示装置を備える、請求項１５に記載のセキュリティ・システム。
【請求項１９】
前記表示装置に示される前記状況データが、前記セキュリティ装置が前記セキュリティ・システム・モードにあるときの前記セキュリティ・システムの状況を示す、請求項１８に記載のセキュリティ・システム。
【請求項２０】
前記出力手段が、前記制御装置の動作に関する音声フィードバックを前記ユーザに提供するために音響装置を備える、請求項１５に記載のセキュリティ・システム。
【請求項２１】
組合わせ電話セットおよびセキュリティ・システム制御装置であって、
ａ．前記制御装置をセキュリティ・システム・バスとインタフェースするように適合されたセキュリティ・システム・バス・インタフェース回路と、
ｂ．前記制御装置を電話網とインタフェースするように適合された電話網インタフェース回路と、
ｃ．ユーザ・インタフェースであって、
ｉ．電話モードとセキュリティ・システム・モードとの間で前記制御装置を切り替えるためのモード・スイッチと、
ｉｉ．前記制御装置の動作に関する状況データをユーザに提供するように適合された出力装置と、
ｉｉｉ．前記セキュリティ装置が前記電話モードにあるとき、ユーザが前記電話網で通信することを可能にするように適合された前記ユーザ・インタフェースとを備えるユーザ・インタフェースと、
ｄ．処理回路であって、
ｉ．前記モード・スイッチからユーザ・コマンドを受信する際に、電話モードとセキュリティ・システム・モードとの間で切り替わり、
ｉｉ．前記セキュリティ装置が前記電話モードにあるとき、前記ユーザ・インタフェースと前記電話網インタフェース回路との間において電話情報を送信および受信し、
ｉｉｉ．前記セキュリティ装置が前記セキュリティ・システム・モードにあるとき、前記ユーザ・インタフェースと前記セキュリティ・システム・バス・インタフェース回路との間においてセキュリティ・システム情報を送信および受信するように適合される処理回路とを備える、制御装置。
【請求項２２】
前記セキュリティ・システム・バス・インタフェース回路、前記電話網、前記ユーザ・インタフェース、および前記処理回路が、単一ハウジング内に統合される、請求項２１に記載の制御装置。
【請求項２３】
ベース局およびハンドセットをさらに備え、前記ユーザ・インタフェースが、前記セキュリティ装置が前記電話モードにあるとき、ユーザが前記電話モードで通信することを可能にするように適合されたスピーカおよびマイクロフォンを前記ハンドセット内に備える、請求項２１に記載の制御装置。
【請求項２４】
前記ハンドセットが、前記ベース局に架線される、請求項２３に記載の制御装置。
【請求項２５】
前記ハンドセットが、無線通信によって前記ベース局とインターオペレートし、
前記ハンドセットが、
前記ユーザ・インタフェースと、
前記ベース局と通信するように適合された第１無線トランシーバとをさらに備え、
前記ベース局が、
前記処理回路と、
前記セキュリティ・システム・バス・インタフェース回路と、
前記電話網インタフェース回路と、
前記ハンドセットと通信するように適合された第２無線トランシーバとを備える、請求項２３に記載の制御装置。
【請求項２６】
前記モード・スイッチが、専用ボタンを前記ハンドセットの上に備える、請求項２５に記載の制御装置。
【請求項２７】
前記ユーザ・インタフェースが、数値キーパッドを備え、前記モード・スイッチが、前記数値キーパッド上のキープレスの所定のシリーズを検出するように適合される、請求項２５に記載の制御装置。
【請求項２８】
前記出力装置が、前記制御装置の動作に関する状況データの視覚表示をユーザに提供するように適合された表示装置を備える、請求項２５に記載の制御装置。
【請求項２９】
前記表示装置に示される前記状況データが、前記セキュリティ装置が前記セキュリティ・システム・モードにあるときの前記セキュリティ・システムの状況を示す、請求項２８に記載の制御装置。
【請求項３０】
前記出力装置が、前記制御装置の動作に関する音声フィードバックを前記ユーザに提供するように適合された音響装置を備える、請求項２５に記載の制御装置。
【発明の詳細な説明】
【技術分野】
【０００１】
本発明は、セキュリティ・システムに関し、具体的には、セキュリティ・システムを制御する電話装置の使用に関する。
【背景技術】
【０００２】
セキュリティ応用分野における最近の刷新は、無線キーの使用であり、これは、キーフォブに通常添付される小型遠隔制御装置である。これらの装置は、無線受信器および中央制御ユニットを介した遠隔アーミングおよびディスアーミングならびに他の装置の遠隔制御では一般的となっている。たとえば、５８００シリーズの製品のアデムコ（Ａｄｅｍｃｏ）の製品であり、具体的には、５８０４無線キーからメッセージを受信して、ある結果的な行為について完全なメッセージを制御パネルに渡す５８８１受信器である。さらに、アデムコ５８０４ＢＤなどの２方向装置が、情報をシステムに送信し、次いで、システム・バスおよび中央送信器モジュール５８００ＴＭを介して受信通知を再び受信し、中央送信器モジュール５８００ＴＭは、５８０４ＢＤに含まれる受信器に送信する。
【０００３】
したがって、基本システムが、中央制御ユニット、有線コンソール（システム・バスの上にある）、無線受信器（やはりシステム・バスの上にある）、中央送信器モジュール（やはりバスの上にある）、ならびに受信器、バス、および送信器モジュールを介して制御ユニットと通信する様々な無線センサおよび無線制御送信器からなる。
【０００４】
無線システムの主な利点の１つは、センサが制御パネルに戻る配線を必要としないので、装備時間がより短いことである。さらに、無線キー送信器を遠隔制御に使用することにより、さらに便利になり、改善されたセキュリティに備え、たとえば、保護敷地内に入る前にシステムの状況を審問することができる、光が活性化されることが可能である、などである。
【０００５】
２方向制御装置は、近年、現場において上首尾であることが実証されている。これらの装置は、保護敷地外からしばしば使用されるが、ナイト・スタンドまたは裏口／ガレージ入口の内部からしばしば使用される。さらに、コードレス電話が、現在ではＵＳＡで販売される電話の５０％を超えて占めることに留意されたい（１９９８年）。２重目的（セキュリティ・システム制御に使用される電話、ならびに標準的な電話通信）を有する装置に関するユーザ・インタフェースは、厄介であることがあり、コードレス電話ハンドセットからの信号が適切な場所に送信されることを保証するために、特別なアクセス・コード、すなわち警報システムへの制御情報またはＰＳＴＮでのダイヤル情報が必要とされる。
【発明の開示】
【発明が解決しようとする課題】
【０００６】
本発明は、そのような組合わせ装置に対する改善が、本発明の意図であり、「ホットキー」または専用セキュリティ・モード・キーを追加し、キーは、押されたとき、固有警報システム・アクセス・コードを送信し、コードレス電話をセキュリティ動作モードに置く。したがって、末端ユーザが、コードレス電話ハンドセットからセキュリティ・システムへの簡単で単一のボタン・アクセスを有する。
【０００７】
したがって、本発明の目的は、コードレス電話を有する遠隔制御セキュリティ送信器の機能を含む組合わせ装置を提供することである。
【０００８】
本発明の他の目的は、組み合わされたセキュリティ送信器およびコードレス電話によって、改善されたセキュリティを提供することである。
【０００９】
本発明の他の目的は、組み合わされたセキュリティ送信器およびコードレス電話によって、改善されたセキュリティ・システム・ユーザ・インタフェースを提供することである。
【課題を解決するための手段】
【００１０】
組合わせ電話セットおよびセキュリティ・システム制御装置が提供され、これは、制御装置をセキュリティ・システム・バスにインタフェースする第１インタフェース手段、および制御装置をＰＳＴＮなどの電話網にインタフェースする第２インタフェース手段を有する。制御装置は、ユーザ制御情報を制御装置に提供するための入力手段を備えるユーザ・インタフェース手段をも有し、入力手段は、ユーザが、電話モードとセキュリティ・モードとの間で制御装置を切り替える手段を含む。ユーザ・インタフェースは、制御装置の動作に関する状況データをユーザに提供するための出力手段をも有する。ユーザ・インタフェース手段は、セキュリティ装置が電話モードにあるとき、ユーザが電話網で通信することを可能にするように適合される。
【００１１】
制御装置は、制御装置の動作を制御する処理手段をも有し、処理手段は、入力手段からユーザ・コマンドを受信する際に、電話モードとセキュリティ・システム・モードとの間で切り替わるように適合される。セキュリティ装置が電話モードにあるとき、処理手段は、ユーザ・インタフェース手段と第２インタフェース手段との間において、電話情報を送信および受信する。セキュリティ装置がセキュリティ・システム・モードにあるとき、処理手段は、ユーザ・インタフェース手段と第１インタフェース手段との間において、セキュリティ・システムの情報を送信および受信する。
【００１２】
制御装置は、独立型スピーカフォン・タイプの装置、標準的な電話装置、またはハンドセットとベース局との間における無線通信を有するコードレス・フォンを含めて、いくつかの実施形態において実現されることが可能である。独立型スピーカフォンの場合、第１インタフェース手段、第２インタフェース手段、ユーザ・インタフェース手段、および処理手段は、すべて単一ハウジング内に組み込まれる。標準的な電話装置の実施形態は、ベース局およびハンドセットを含み、ユーザ・インタフェース手段は、セキュリティ装置が電話モードにあるとき、ユーザが電話網で通信することを可能にするために、スピーカおよびマイクロフォンをハンドセット内に備える。
【００１３】
コードレス・フォンの実施形態では、ハンドセットは、無線通信によってベース局とインターオペレートし、ハンドセットは、ユーザ・インタフェース手段、およびベース局と通信するための第１無線トランシーバ手段をさらに含む。ベース局は、処理手段、第１インタフェース手段、第２インタフェース手段、およびハンドセットと通信するための第２無線トランシーバ手段を含む。
【００１４】
ユーザが電話モードとセキュリティ・システム・モードとの間で制御装置を切り替える手段は、ハンドセット上の専用ボタンとすることが可能であり、または、数値パッド上のキープレスの所定のシリーズの検出とすることが可能である。
【００１５】
出力手段は、制御装置の動作に関する状況データの視覚表示をユーザに提供するために、表示装置を含むことが可能であり、表示装置の状況データは、セキュリティ装置がセキュリティ・システム・モードにあるときのセキュリティ・システムの状況を示す。出力手段は、制御装置の動作に関する音声フィードバックをユーザに提供するために、音響装置を含むことも可能である。
【００１６】
本発明は、セキュリティ・システムとインタフェースして、セキュリティ・システムを制御するように適合された電話セットであり、あらゆるタイプの電話セット、すなわち、コード付きハンドセットを有する標準的な電話、ハンドセットとベース局との間における無線通信を有するコードレス・フォン、または任意の別々のハンドセットを有する完全に統合されたスピーカフォンにおいて実施されることが可能である。本発明は、コードレス・フォンに関して記述される。コードレス・フォンは、最適な実施形態であるが、その理由は、非コード無線式ハンドセットにより、ユーザが、ハンドセットと共に敷地を歩き回り、かつ、本発明によるセキュリティ・システムの制御を依然として有することが可能になるからである。
【発明を実施するための最良の形態】
【００１７】
図１は、制御パネル４、コンソール・キーパッドおよび表示装置８、複数のセンサ装置１０、ＲＦ受信器１２、およびＲＦ送信器１４を含むセキュリティ・システム２を示し、すべて、架線システム・バス６を介して通信する。センサ装置１０は、周囲環境の変化を検出し、受動赤外線動き検出器、ガラス破損検出器、磁気リード・スイッチなど、当技術分野では周知である。ＲＦ受信器および送信器は、上述されたように環境を監視することが可能である１つまたは複数の無線装置１６と通信する。制御パネルは、センサ装置の状況を監視して、所定の条件下で警報条件を示すように構成され、警報条件を示すために、中央警報局にダイヤルする、および／または局所的サイレンを鳴らすことが可能である。これらの装置のすべておよび動作は、セキュリティ・システムの分野において周知であり、さらに記述される必要はない。
【００１８】
図１は、セキュリティ・システム・バス６に接続されたコードレス電話ベース局２０をも示す。電話ベース局２０は、セキュリティ・システム・バス６とインタフェースするように適合されなければならない；すなわち、制御パネルとインターオペレートするために、適切なドライバ・ハードウエア回路およびソフトウエア制御を有さなければならない。ベース局２０は、セキュリティ・システムの製造業者によって使用される特定のプロトコルに従って適合される。順次データ転送プロトコルなどのセキュリティ・システム・プロトコルが、当技術分野において周知であり、本明細書において繰り返される必要はない。
【００１９】
ベース局２０は、また、当技術分野において周知のＲＪ１１コネクタによってなど、制御パネル４を介した接続２１によってＰＳＴＮ（公衆切替え電話網）と相互接続されて示されている。電話ベース局２０は、制御パネル４を介してＰＳＴＮに接続されるが、その理由は、制御パネル４は、当技術分野において既知であるように、電話線を引き継いで、中央局にダイヤルするために、線確保を実施するからである。随意選択として、ベース局２０は、中央局のダイヤル機能が実施されない場合、ＰＳＴＮに直接接続されることができる。図１には、コードレス・フォン・ハンドセット２２も示され、これは、当技術分野において周知であるように、ベース局２０と無線方式で動作する。現在、ほとんどのコードレス・フォンは、２．４ＧＨｚの領域で動作するが、９００ＭＨｚのセットも依然として使用される。ハンドセット２２とベース局２０との間の無線通信の仕様は、本発明にとって重要ではない。
【００２０】
本発明の好ましい実施形態は、セキュリティ・モードにアクセスするための単一ボタンを有するコードレス電話を備える装置である。図２および３に示されるように、コードレス電話ハンドセット２２は、キーパッド３０、マイクロフォン３３、セキュリティ・モード・スイッチ２６、および電話制御ボタン２８（たとえば、リダイヤル、ミュートなど）を含めて、入力手段を有する。ハンドセットは、表示装置２４およびスピーカ（音響装置）３２を含めて、出力手段をも有する。ハンドセットの内部に、マイクロコントローラまたはプロセッサ３４、不揮発性メモリ３５、ならびに無線周波数送信器／受信器および電話回路３６がある。
【００２１】
固有セキュリティ・モード・スイッチ２６により、残りのボタン２８およびキーパッド３０がセキュリティ機能ボタンとして直ちに可能になり、警報制御パネル４を、警報システム・バス６を介した電話２２との相互作用に適切な動作モードにする。モード・スイッチ２６を押すことによって、コマンドが、ハンドセット２２からベース局２０に送信され、その後のデータ・メッセージを、ＰＳＴＮでではなく、セキュリティ・システム・バス６に通信するようベース局に命令する。セキュリティ・モード・スイッチ２６が押されない場合、コードレス・ハンドセット２２およびベース局２０は、通常の電話システムとして作用し、接続２１を介してＰＳＴＮとのみインタフェースする。その後モード・スイッチ２６を押すことにより、ベース局２０に通常の電話モードに戻るように命令する。モード・スイッチ２６を連続することにより（すなわち、数秒の押し）、警報システムへの「パニック」送信が行われる。さらに、ハンドセット２２が、モード・スイッチ２６を押すことによってセキュリティ・モードになった後、残りの入力ボタン２８、３０のいくつかまたはすべてが、専用セキュリティ・モードになり、それらを押すことにより、事前に確定されたデータ・メッセージがバス６を介して制御パネル４に送信される。たとえば、システムの状況を要求するように、ボタン２８の１つ（たとえば、電話モードのリダイヤル・ボタン）をプログラムすることができ、他をパニック・ボタンとすることができる、などである。
【００２２】
ハンドセット２２内の無線周波数送信器３６は、プロセッサ３４によって制御され、他のボタンまたはキープレスが続くセキュリティ・モード・スイッチ２６の起動に応答してシステム・メッセージを送信する。表示装置２４は、パニックでは「ｐｎｃ」など、送信されたメッセージを示す。
【００２３】
スピーカ３２は、局部フィードバックを与え、プログラム中、モードの選択、および送信が行われるときを示すのに有用である。セキュリティ制御メッセージの場合、ビープは、制御パネル・コンソールによって生成されたビープをエミュレートする。
【００２４】
図４は、本発明によるベース局２０の基本構成要素を示す。ベース局２０は、ＲＦ受信器／送信器５２、５４、プロセッサ５６、セキュリティ・システム・バス・インタフェース５８、随意選択ユーザ・インタフェース５７、およびＰＳＴＮインタフェース６０を有する。プロセッサ５６が、セキュリティ・モード・ボタンが押されたことを示すデータ・メッセージをハンドセット２２から受信するとき、プロセッサは、データ通信をＰＳＴＮインタフェース６０からセキュリティ・システム・バス・インタフェース５８に切り替える。すなわち、セキュリティ・モード・スイッチを押すユーザは、その後のデータ・メッセージを、ＰＳＴＮでではなく、セキュリティ・システム・バスに送信するようにベース局に通知する。同様に、ボタンが再び押されるとき、データ・メッセージは、セキュリティ・システム・バスの代わりに、ＰＳＴＮで送信される。
【００２５】
システムをセキュリティ・システム制御装置モードに送信するためのハンドセット上の専用ボタン２６の代替として、本発明は、相応してプログラムされるスピード・ダイヤル・ボタンの使用を考慮する。したがって、ユーザは、セキュリティ・システム・モードに入るために、＊、９を押す可能性があり、その逆の場合も同様である。
【００２６】
コード付き（有線式）ハンドセット・タイプの電話では、図３に示される機能は、コードレス・フォンの場合と同様に、ハンドセット内にあることが可能であり（ＲＦトランシーバ３６が、適切な架線通信回路と置き換えられる点が異なる）、またはインタフェース機能のいくつかが、ベース局にあることが可能である。たとえば、簡単な実施形態が、音響装置／スピーカ３２およびマイクロフォン３３のみをハンドセットに有し、キーパッド３０、ボタン２６、２８、および表示装置２４がベース局にある。これらの設計選択肢は、本発明の範囲に影響を与えずに実施される。
【００２７】
同様に、本発明は、別々のハンドセットを有さずに、完全に統合されたスピーカフォンにおいて実現されて、本発明の原理の下で依然として動作することが可能である。
【図面の簡単な説明】
【００２８】
【図１】本発明のシステムのブロック図である。
【図２】ハンドセットを示す図である。
【図３】ハンドセットのブロック図である。
【図４】ベース局のブロック図である。
【図１】
2006512031.tif 000003
【図２】
2006512031.tif 000004
【図３】
2006512031.tif 000005
【図４】
2006512031.tif 000006
【国際調査報告】
2006512031.tif 000007